(57)【要約】      （修正有）【課題】特にスイッチがケースから離脱して端子が露出する問題を防止できる電源スイッチを提供する。【解決手段】ケース１０と、スイッチ２０と、通電部材３０と、安全部材とを有し、その内、ケースは、内部に組立空間が形成され、上部に開口１２が形成され、スイッチは、ケースの開口に嵌め込まれ、回転可能にケースに取り付けられる本体と、本体の両側中央にそれぞれ凸設される軸２２と、本体の底面中央に設けられる位置決め柱とを備え、通電部材は、スイッチ及びケースに組み合わされ、間隔をおいてケースに貫設される第一端子３１及び第二端子を備え、また、第一端子に取り付けられながら選択可能に第二端子と電気接続される揺動ユニットを備え、安全部材は、スイッチの軸と本体の一端との間に設置され、第一保持部及び第二保持部を備え、第一保持部がケースに設けられ、第二保持部がスイッチに設けられ、第一保持部が選択可能に第二保持部に当接される。【選択図】図１
0003199507.tif 000002
【実用新案登録請求の範囲】
【請求項１】
内部に組立空間が形成され、上部に組立空間と連通する開口が形成されるケースと、
前記ケースの開口に嵌め込まれ、本体と、軸と、位置決め柱とを有し、その内、本体の一端に第一端が設けられると共に、他端に第二端が設けられ、該軸が、第一端と第二端との間に位置するように、本体に設けられ、且つ回転可能にケースに取り付けられ、該位置決め柱が、第一端と第二端との間に位置するように、本体の底面に設けられるスイッチと、
前記スイッチ及びケースに組み合わされ、第一端子と、第二端子と、揺動ユニットと、バネとを有し、その内、第一端子及び第二端子がそれぞれ、間隔をおいてケースに貫設され、該第二端子が、本体の位置決め柱における第一端側に位置し、該揺動ユニットが、ケースの組立空間に位置するように、揺動可能に第一端子に架設され、該バネが、ケースの組立空間に位置すると共に、揺動ユニットの上面及び本体の底面と当接するように、本体の位置決め柱に環装され、該揺動ユニットが選択可能に第二端子と電気接続される通電部材と、
前記スイッチの軸と本体の第一端との間に設置され、第一保持部及び第二保持部を備え、該第一保持部が前記ケースに設けられ、該第二保持部がスイッチに設けられ、該第一保持部が選択可能に第二保持部に当接される安全部材と、を有することを特徴とする、
電源スイッチ。
【請求項２】
前記安全部材における第一保持部がケースの環状壁に凸設され、該第二保持部がスイッチの本体に凸設され、該第一保持部が第二保持部の上側に取り付けられ、該第一保持部の底面が選択可能に第二保持部の上面に当接されることを特徴とする請求項１に記載の電源スイッチ。
【請求項３】
前記安全部材がスイッチの軸の底部近傍に設けられることを特徴とする請求項２に記載の電源スイッチ。
【請求項４】
前記通電部材の第一端子に装設部が凹設され、該装設部の底部にリブが凸設され、前記揺動ユニットは、装設部に取り付けられると共に、リブを支点として揺動可能に第一端子のリブに架設されることを特徴とする請求項１乃至３の何れか１項に記載の電源スイッチ。
【請求項５】
前記通電部材の第二端子に下接触部が設けられると共に、第一端子に上接触部が凸設され、前記揺動ユニットの上接触部が選択可能に第二端子の下接触部と電気接続されることを特徴とする請求項１乃至３の何れか１項に記載の電源スイッチ。
【請求項６】
前記通電部材の第二端子に下接触部が設けられると共に、第一端子に上接触部が凸設され、前記揺動ユニットの上接触部が選択可能に第二端子の下接触部と電気接続されることを特徴とする請求項４に記載の電源スイッチ。
【請求項７】
前記通電部材はさらに第三端子を備え、前記スイッチの本体に指示ライトが設置され、該指示ライトは、第一端子及び第三端子と電気接続されることを特徴とする請求項１乃至３の何れか１項に記載の電源スイッチ。
【請求項８】
前記通電部材はさらに第三端子を備え、前記スイッチの本体に指示ライトが設置され、該指示ライトは、第一端子及び第三端子と電気接続されることを特徴とする請求項６に記載の電源スイッチ。
【請求項９】
前記指示ライトは、通電部材の揺動ユニット及びバネによる第一端子に電気接続されることを特徴とする請求項８に記載の電源スイッチ。
【考案の詳細な説明】
【技術分野】
【０００１】
本考案は、特にスイッチがケースから脱出して端子が露出する問題を防止できる電源スイッチに関するものである。
【背景技術】
【０００２】
電気製品は、壁のコンセントや電源と接続する延長コードに接続するためのプラグを有し、そのプラグを電源と接続することにより電力が供給される。また、電気製品を使用しない時は、プラグをコンセントから取り外せば電力を節約することが出来るが、実際に毎回実行するのは難しいのが現状である。
この問題を解決するために、ＯＦＦまたはＯＮを自由に切り替えて使える電源スイッチが開発され、この電源スイッチのプラグを常に壁のコンセントに挿し込んで電気製品と電気接続しておき、電源スイッチをＯＮに切り替えると、電気製品に電力を入力して駆動することができ、電源スイッチをＯＦＦに切り替えると、電源を切って電力を節約することが出来る。
【０００３】
既存の電源スイッチは、ケースとスイッチを備え、該ケースに開口が形成され、開口を通ってバネ、揺動部材、第一端子、第二端子がそれぞれケースの内部に組み合わされ、更に、該ケースの開口近傍の内面両側に軸が取り付けられ、該スイッチが切り替え可能に軸に枢設され、該バネの両端がスイッチ及び揺動部材に当接され、該揺動部材が第一端子と対応するように枢設され、これにより、該揺動部材は、スイッチ及びバネにより第一端子と接触したり離れたりすることができ、該第二端子は選択可能に第一端子と電気接続される。
また、既存の電源スイッチを使用する時は、スイッチを切り替えてＯＮ状態とすると、揺動部材がバネにより第一端子に接近して接触し、この時、第一端子は第二端子と電気接続される。一方、スイッチを切り替えてＯＦＦ状態にすると、その揺動部材がバネにより第一端子から離間して第一端子と第二端子とが非接触状態となる。
【考案の概要】
【考案が解決しようとする課題】
【０００４】
しかしながら、このような電源スイッチは、スイッチをケースに枢設するための軸が、外部からの衝突または材料の疲労により壊れやすいと共に、スイッチがケースの開口から離脱して揺動部材、第一端子、第二端子を露出させ、電源スイッチをショートさせてしまう恐れがあるので、改良する必要があった。
【課題を解決するための手段】
【０００５】
本考案に係る電源スイッチは、内部に組立空間が形成され、上部に組立空間と連通する開口が形成されるケースと、前記ケースの開口に嵌め込まれ、本体と、軸と、位置決め柱とを有し、その内、本体の一端に第一端が設けられると共に、他端に第二端が設けられ、該軸が、第一端と第二端との間に位置するように、本体に設けられ、且つ回転可能にケースに取り付けられ、該位置決め柱が、第一端と第二端との間に位置するように、本体の底面に設けられるスイッチと、前記スイッチ及びケースに組み合わされ、第一端子と、第二端子と、揺動ユニットと、バネとを有し、その内、第一端子及び第二端子がそれぞれ、間隔をおいてケースに貫設され、該第二端子が、本体の位置決め柱における第一端側に位置し、該揺動ユニットが、ケースの組立空間に位置するように、揺動可能に第一端子に架設され、該バネが、ケースの組立空間に位置すると共に、揺動ユニットの上面及び本体の底面と当接するように、本体の位置決め柱に環装され、該揺動ユニットが選択可能に第二端子と電気接続される通電部材と、前記スイッチの軸と本体の第一端との間に設置され、第一保持部及び第二保持部を備え、該第一保持部が前記ケースに設けられ、該第二保持部がスイッチに設けられ、該第一保持部が選択可能に第二保持部に当接される安全部材と、を有するものである。
【０００６】
かかる電源スイッチにおいて、前記安全部材における第一保持部がケースの環状壁に凸設され、該第二保持部がスイッチの本体に凸設され、該第一保持部が第二保持部の上側に取り付けられ、該第一保持部の底面が選択可能に第二保持部の上面に当接されることが好ましい。
【０００７】
かかる電源スイッチにおいて、前記安全部材がスイッチの軸の底部近傍に設けられることが好ましい。
【０００８】
かかる電源スイッチにおいて、前記通電部材の第一端子に装設部が凹設され、該装設部の底部にリブが凸設され、前記揺動ユニットは、装設部に取り付けられると共に、リブを支点として揺動可能に第一端子のリブに架設されることが好ましい。
【０００９】
かかる電源スイッチにおいて、前記通電部材の第二端子に下接触部が設けられると共に、第一端子に上接触部が凸設され、前記揺動ユニットの上接触部が選択可能に第二端子の下接触部と電気接続されることが好ましい。
【００１０】
かかる電源スイッチにおいて、前記通電部材の第二端子に下接触部が設けられると共に、第一端子に上接触部が凸設され、前記揺動ユニットの上接触部が選択可能に第二端子の下接触部と電気接続されることが好ましい。
【００１１】
かかる電源スイッチにおいて、前記通電部材はさらに第三端子を備え、前記スイッチの本体に指示ライトが設置され、該指示ライトは、第一端子及び第三端子と電気接続されることが好ましい。
【００１２】
かかる電源スイッチにおいて、前記指示ライトは、通電部材の揺動ユニット及びバネによる第一端子に電気接続されることが好ましい。
【考案の効果】
【００１３】
本考案に係る電源スイッチは、安全部材を用いれば、スイッチの軸が壊れたとしてもバネの付勢力によりケースから脱落することがないと共に、通電部材が露出してショートを起す問題もなくなる。
また、その安全部材を有すれば、スイッチの軸が壊されたら、安全部材による電源スイッチをＯＦＦに切り替えて電源を遮断することから、電源スイッチがショートして火事を起す問題を防止することが出来、安全性に優れている。
【図面の簡単な説明】
【００１４】
【図１】本考案に係る電源スイッチの斜視図である。
【図２】本考案に係る電源スイッチの分解斜視図である。
【図３】本考案に係る電源スイッチの側面視断面図である。
【図４】本考案に係る電源スイッチにおいて、スイッチをＯＮ状態に切り替えたときの前面視断面図である。
【図５】本考案に係る電源スイッチにおいて、スイッチをＯＦＦ状態に切り替えたときの前面視断面図である。
【図６】本考案に係る電源スイッチにおいて、スイッチの軸が壊れて安全部材が作動する状態を示す前面視断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係る電源スイッチは、ケース１０と、スイッチ２０と、通電部材３０と、安全部材４０とを有する。
【００１７】
図１乃至図４に示すように、前記ケース１０は、内部に組立空間１１が形成され、上部に組立空間１１と連通する開口１２が形成され、底部に底面１３が設けられ、周囲に環状壁１４が設けられる。
【００１８】
図１乃至図４に示すように、前記スイッチ２０は、ケース１０の環状壁１４の上部に枢設され、且つケース１０の開口１２に嵌め込まれ、本体２１と、軸２２と、位置決め柱２３とを有する。その内、本体２１の一端に第一端２１０が設けられると共に、他端に第二端２１１が設けられ、該軸２２が、第一端２１０と第二端２１１との間に位置するように、本体２１に設けられ、且つ回転可能にケース１０の環状壁１４の上部に取り付けられ、該位置決め柱２３は、本体２１の底面に縦方向に凸設される。
【００１９】
図１乃至図４に示すように、前記通電部材３０は、スイッチ２０及びケース１０に組み合わされ、第一端子３１と、第二端子３２と、揺動ユニット３３と、バネ３４とを有する。その内、第一端子３１及び第二端子３２はそれぞれ、間隔をおいてケース１０の環状壁１４に貫設され、該第一端子３１に装設部３１１が凹設され、該装設部３１１の底部に縦方向のリブ３１２が凸設され、該第二端子３２に下接触部３２１が設けられる。該揺動ユニット３３は、ケース１０の組立空間１１に位置するように装設部３１１に取り付けられ、且つリブ３１２を支点として、揺動可能に第一端子３１のリブ３１２に架設され、該揺動ユニット３３の一端に連結部３３１が延設され、該連結部３３１に上接触部３３２が凸設され、該揺動ユニット３３の連結部３３１の上接触部３３２が選択可能に第二端子３２の下接触部３２１と電気接続される。
また、前記第二端子３２及び揺動ユニット３３の連結部３３１は、本体２１の位置決め柱２３の第一端２１０側に位置し、前記バネ３４は、ケース１０の組立空間１１に位置すると共に、本体２１の位置決め柱２３に環装しながら揺動ユニット３３の上面及び本体２１の底面と当接するように取り付けられる。
【００２０】
図２乃至図４に示すように、前記安全部材４０は、スイッチ２０の軸２２と本体２１の第一端２１０との間に位置するように、スイッチ２０とケース１０の環状壁１４との間に設けられ、第一保持部４１及び第二保持部４２を備え、該第一保持部４１は選択可能に第二保持部４２に当接される。
本実施例においては、その安全部材４０が、スイッチ２０の軸２２の底部近傍に設けられ、そのうち、第一保持部４１は矩形のブロックであり、ケース１０の環状壁１４に凸設され、且つ第二保持部４２の上側に取り付けられ、該第二保持部４２はリブ状のブロックであり、スイッチ２０の本体２１に凸設される。
この構成によれば、スイッチ２０の軸２２が壊れて本体２１がケース１０から離間してバネ３４の弾性により飛び出した場合、その第一保持部４１の底面が第二保持部４２の上面に当接して係合することから、本体２１がケース１０の開口１２から離脱することはないと共に、スイッチ２０が安全部材４０の第一保持部４１を軸としてケース１０に対して枢動することが出来る。
【００２１】
図１乃至図４に示すように、本実施例においては、スイッチ２０の本体２１が、蓋部２１２と、座部２１３と、指示ライト２１４とを備え、そのうち蓋部２１２は、座部２１３をカバーするように組み合わされ、該座部２１３の底面に前記位置決め柱２３が縦方向に凸設され、該指示ライト２１４は、蓋部２１２と座部２１３との間に設置される。
また、前記通電部材３０のバネ３４の両端が、揺動ユニット３３の上面及び本体２１の座部２１３の底面に当接され、さらに抵抗器３５及び第三端子３６を備え、該第三端子３６は、抵抗器３５と直列するように電気接続される。一方、前記スイッチ２０の本体２１の指示ライト２１４は、第一端子３１と第三端子３６と電気接続され、その通電部材３０の第一端子３１は、揺動ユニット３３及びバネ３４によるスイッチ２０の本体２１の指示ライト２１４に電気接続される。
【００２２】
図１、図２、図４に示すように、そのスイッチ２０を切り替えてＯＮ状態にすると、本体２１が位置決め柱２３を介してバネ３４及び揺動ユニット３３を一方へ押圧し、揺動ユニット３３が第一端子３１のリブ３１２を支点として第二端子３２へ倒れ込む。この時、揺動ユニット３３の連結部３３１の上接触部３３２が第二端子３２の下接触部３２１と接触することから、第一端子３１が第二端子３２と電気接続すると共に、第一端子３１が抵抗器３５、指示ライト２１４、バネ３４、揺動ユニット３３による第三端子３６と電気接続する。
【００２３】
一方、図１、図２、図５に示すように、そのスイッチ２０を切り替えてＯＦＦ状態にすると、本体２１が位置決め柱２３を介してバネ３４及び揺動ユニット３３を他方へ押圧し、揺動ユニット３３が第一端子３１のリブ３１２を支点として第二端子３２と反対する方向へ倒れ込む。この時、揺動ユニット３３の連結部３３１の上接触部３３２が第二端子３２の下接触部３２１から離間することから、第一端子３１が第二端子３２と開回路状態となると共に、第一端子３１も第三端子３６と開回路状態となる。
【００２４】
また、図１、図２、図５、図６に示すように、本考案に係る電源スイッチにおいて、その軸２２が、外部からの衝突または材料の疲労破壊により壊れた場合、スイッチ２０の本体２１がケース１０から離間してバネ３４により外部へ飛び出す恐れがあるが、安全部材４０の第二保持部４２が第一保持部４１に当接するように係合していることから、スイッチ２０の本体２１が阻止されてケース１０の開口１２に保持される。この時、スイッチ２０の本体２１は、バネ３４の付勢力により第一保持部４１を軸として枢転してケース１０に係合されるので、スイッチ２０の本体２１がケース１０から離脱することはなく、通電部材３０が露出することもない。
更に、その軸２２が破損すると、本体２１が安全部材４０によりケース１０に係止して動けなくなり、本体２１がバネ３４により揺動ユニット３３を倒れ込むことが出来ないことから、揺動ユニット３３が第二端子３２と電気接続することはなく、第一端子３１が揺動ユニット３３を介して第二端子３２と電気接続することもないので、電源スイッチをＯＦＦ状態に維持することが出来る。
【００２５】
このように、本考案に係る電源スイッチは、安全部材４０を有すれば、スイッチ２０の軸２２が破損したとしてもバネ３４の付勢力によりケース１０から離脱することはなく、通電部材３０が露出してショートを起す問題もない。また、前記安全部材４０を用いれば、第一端子３１が揺動ユニット３３を介して第二端子３２と電気接続することがないことから、軸２２が破損すると、電源スイッチがＯＦＦ状態となり、電源を遮断して火事などのトラブルを未然に防ぐことができるので、安全性に優れている。
【符号の説明】
【００２６】
１０    ケース
１１    組立空間
１２    開口
１３    底面
１４    環状壁
２０    スイッチ
２１    本体
２１０  第一端
２１１  第二端
２１２  蓋部
２１３  座部
２１４  指示ライト
２２    軸
２３    位置決め柱
３０    通電部材
３１    第一端子
３１１  装設部
３１２  リブ
３２    第二端子
３２１  下接触部
３３    揺動ユニット
３３１  連結部
３３２  上接触部
３４    バネ
３５    抵抗器
３６    第三端子
４０    安全部材
４１    第一保持部
４２    第二保持部
【図１】
0003199507.tif 000003
【図２】
0003199507.tif 000004
【図３】
0003199507.tif 000005
【図４】
0003199507.tif 000006
【図５】
0003199507.tif 000007
【図６】
0003199507.tif 000008